(57)【特許請求の範囲】
【請求項１】
本体の上面に設けられた吸込口と、下面に設けられた吹出口と、これら吸込口と吹出口とを結ぶ空気通路に設けられ、同空気通路の下位部および前記吹出口を前後に区画し、第一空気通路と第二空気通路とを形成する仕切体と、前記第一空気通路に設けられ、逆Ｖ字状に折曲された第一熱交換器および第一送風ファンと、前記第二空気通路に設けられ、逆Ｖ字状に折曲された第二熱交換器および第二送風ファンと、前記第一熱交換器の前端下部に備えた第一露受皿と、前記第一熱交換器の後端下部および前記第二熱交換器の前端下部に備えた第二露受皿と、前記第二熱交換器の後端下部に備えた第三露受皿とで構成され、前記第一空気通路および第二空気通路が、前記第一送風ファンを収容した第一ファンケーシングおよび前記第二送風ファンを収容した第二ファンケーシングと、前後に区画された前記吹出口とを結ぶ第一エアガイダおよび第二エアガイダからなり、冷房運転時に、前記第一送風ファンを前記第二送風ファンより高速回転させることによって、前部に区画された前記吹出口から送出される多量の冷気に誘引されるように、少量の冷気を後部に区画された前記吹出口から送出し、暖房運転時に、前記第一送風ファンを前記第二送風ファンより低速回転させることによって、後部に区画された前記吹出口から送出される多量の暖気に誘引されるように、少量の暖気を前部に区画された前記吹出口から送出してなることを特徴とする空気調和機。
【請求項２】
前記仕切体に、前記第二ファンケーシングの一部を構成するスタピライザが一体的に形成されてなることを特徴とする請求項１に記載の空気調和機。
【請求項３】
前記仕切体と、前記第二露受皿とが一体的に形成されてなることを特徴とする請求項１に記載の空気調和機。
【請求項４】
前記第一エアガイダと、前記第二エアガイダと、前記仕切体とが一体的に形成されてなることを特徴とする請求項１に記載の空気調和機。
【請求項５】
前記仕切体が、所定の空隙を有して前後に二重に形成されてなることを特徴とする請求項１乃至４に記載の空気調和機。
【請求項６】
前記仕切体の空隙に、断熱部材が装着されてなることを特徴とする請求項５に記載の空気調和機。
【請求項７】
前記仕切体が、中空状に形成されてなることを特徴とする請求項４に記載の空気調和機。
【発明の詳細な説明】
【０００１】
【発明の属する技術分野】
本発明は、空気調和機に係わり、より詳細には、部品点数を抑えてコンパクト性を維持すると共に、高性能であって且つ高い省エネルギ性と低騒音性とを実現できるようにした構造に関する。
【０００２】
【従来の技術】
従来の壁掛け式の空気調和機は、例えば特開平１１ー２０１４８８号公報に記載されているように、本体の上部を仕切壁により前後に区画し、仕切壁後方の本体上面に第１の吸込口と、本体前面中央部に第２の吸込口を設け、第２の吸込口の下方に第１の吹出口を、上方に第２の吹出口を設け、第１の吸込口を臨ませて第１の室内熱交換器を設け、第１の室内熱交換器の下部に第１の送風ファンを設け、第２の吸込口に臨ませて第２の室内熱交換器を設け、第１の室内熱交換器の下部に第１の露受皿を設け、第２の室内熱交換器の下部に第２の露受皿を設け、第１の吹出口に回動自在に第２の風向板を設けた構成となっていた。
【０００３】
すなわち、暖房運転時に前記第２の室内熱交換器が蒸発器として作用し、発生した凝縮水は前記第２の露受皿で受けられた後、水路により前記第１の室内熱交換器の下部熱交換器の前面側に導かれ、前記第１の吹出口から水分が室内に戻され、室内の乾燥を防止するようになっている。
【０００４】
しかしながら、暖房運転時に室温分布の均一化をはかることができ、且つ室内の乾燥を防止することができ、また、ドライ運転時に室温をあまり下げずに除湿ができるという効果を奏する一方、前記第１の室内熱交換器および前記第２の室内熱交換器が、上記の機能を達成するために多くの折曲部を有した複雑な形状に形成された割りには、必ずしも熱交換性能を充分に発揮できる高性能な構成であるとはいえず、また、高い省エネルギ性と低騒音性とを実現する上では不充分であった。
【０００５】
【発明が解決しようとする課題】
本発明は、上記問題点を解決して、部品点数を抑えてコンパクト性を維持すると共に、高性能であって且つ高い省エネルギ性と低騒音性とを実現できるようにした空気調和機を提供することを目的としている。
【０００６】
【課題を解決するための手段】
本発明は上記の課題を解決するため、本体の上面に設けられた吸込口と、下面に設けられた吹出口と、これら吸込口と吹出口とを結ぶ空気通路に設けられ、同空気通路の下位部および前記吹出口を前後に区画し、第一空気通路と第二空気通路とを形成する仕切体と、前記第一空気通路に設けられ、逆Ｖ字状に折曲された第一熱交換器および第一送風ファンと、前記第二空気通路に設けられ、逆Ｖ字状に折曲された第二熱交換器および第二送風ファンと、前記第一熱交換器の前端下部に備えた第一露受皿と、前記第一熱交換器の後端下部および前記第二熱交換器の前端下部に備えた第二露受皿と、前記第二熱交換器の後端下部に備えた第三露受皿とで構成され、前記第一空気通路および第二空気通路が、前記第一送風ファンを収容した第一ファンケーシングおよび前記第二送風ファンを収容した第二ファンケーシングと、前後に区画された前記吹出口とを結ぶ第一エアガイダおよび第二エアガイダからなり、冷房運転時に、前記第一送風ファンを前記第二送風ファンより高速回転させることによって、前部に区画された前記吹出口から送出される多量の冷気に誘引されるように、少量の冷気を後部に区画された前記吹出口から送出し、暖房運転時に、前記第一送風ファンを前記第二送風ファンより低速回転させることによって、後部に区画された前記吹出口から送出される多量の暖気に誘引されるように、少量の暖気を前部に区画された前記吹出口から送出する構成となっている。
以上
【０００７】
また、前記仕切体に、前記第二ファンケーシングの一部を構成するスタビライザが一体的に形成された構成となっている。
【０００８】
また、前記仕切体と、前記第二露受皿とが一体的に形成された構成となっている。
【０００９】
また、前記第一エアガイダと、前記第二エアガイダと、前記仕切体とが一体的に形成された構成となっている。
【００１０】
また、前記仕切体が、所定の空隙を有して前後に二重に形成された構成となっている。
【００１１】
また、前記仕切体の空隙に、断熱部材が装着された構成となっている。
【００１２】
また、前記仕切体が、中空状に形成された構成となっている。
【００１６】
【発明の実施の形態】
以下、本発明の実施の形態を図面に基づいた実施例として詳細に説明する。
図１は本発明による空気調和機の第一の実施例を示す断面図であり、図２は第二の実施例を示す断面図であり、図３は第三の実施例を示す断面図であり、図４は第四の実施例を示す断面図であり、図５は第五の実施例を示す断面図であり、図６は第六の実施例を示す断面図である。
【００１７】
本発明による空気調和機は、図で示すように、本体の前面上部および上面には吸込口１が設けられ、前方に行くに従い上方に湾曲する下面の前部には吹出口２が設けられると共に、これら吸込口１と吹出口２とを結ぶ空気通路は、同空気通路の下位部および前記吹出口２を前後に区画する仕切体３により、第一空気通路と第二空気通路とに区画されている。
【００１８】
前記仕切体３により前部に区画された前記第一空気通路には、逆Ｖ字状に折曲形成された第一熱交換器４および第一ファンケーシング11に収容された第一送風ファン５が順次設けられ、後部に区画された前記第二空気通路には、逆Ｖ字状に折曲形成された第二熱交換器６および第二ファンケーシング12に収容された第二送風ファン７が順次設けられている。
【００１９】
前記第一熱交換器４の前端下部には第一露受皿８が設けられ、前記第一熱交換器４の後端下部および前記第二熱交換器６の前端下部には第二露受皿９が設けられ、前記第二熱交換器６の後端下部には第三露受皿10が設けられた構成となっている。
【００２０】
そして、前記第一空気通路および前記第二空気通路が、前記第一ファンケーシング11および前記第二ファンケーシング12と、前後に区画された前記吹出口２とを夫々略平行に結ぶ第一エアガイダ13および第二エアガイダ14からなる構成となっている。
【００２１】
以上の構成により、次にその動作について説明をする。
本発明による空気調和機は、とくに逆Ｖ字状に折曲した前記第一熱交換器４および前記第二熱交換器６を前後に設けたことにより、また、これら第一熱交換器４および第二熱交換器６により熱交換された空気を効率よく吹き出すため、前記第一送風ファン５および前記第二送風ファン７と、これらに対応する夫々の吹出口２を本体下面の前後に区画して設けたことによって熱交換能力を大幅に向上させることができるようになり、上下寸法を大型化させることなく、コンパクト性を維持したまま省エネルギ化および低騒音化を大幅に促進できるようになっている。
【００２２】
また、前記仕切体３には、図１で示すように、前記第二ファンケーシング12の一部を構成するスタビライザ12a が一体的に形成されているので、前記第二送風ファン７による送風性能を損ねないようにすると共に、部品点数を削減できるようになっている。
【００２３】
また、前記仕切体３は、図２で示すように、前記第二露受皿９と一体的に形成された構成となっており、これによって、図１で示すように前記第二露受皿９を別体として形成したのち、前記仕切体３の上部に接合する場合に比べてコスト的に有利になる。
【００２４】
また、図２で示す前記第一エアガイダ13と、前記第二エアガイダ14と、前記仕切体３とが一体的に形成されたことにより、これらの寸法および形状が正確に形成されると共に、部品点数を大幅に削減できるようになってコスト的に有利な構造となる。
【００２５】
また、前記仕切体３が、図３で示すように、所定の空隙を有して前後に二重に形成されたことにより、該空隙部に断熱効果を得ることができるようになり、例えば前記第一エアガイダ13と、前記第二エアガイダ14とを通過する空気の温度が異なる場合には結露を防止できるようになる。
【００２６】
なおこの場合、前記第一エアガイダ13と、前記第二エアガイダ14とを別体として製作して組み合わせるようにしてもよい。
【００２７】
または、前記仕切体３の空隙に、図４で示すような断熱部材15を装着することによって、該空隙部の断熱効果を更に高めるようにしてもよい。
もしくは、図５で示すように、前記仕切体３に中空部16をもたせた中空状に形成することによって断熱効果を高めるようにしてもよい。
【００２８】
次に、図６に基づいて、前記第一送風ファン５および前記第二送風ファン７による送風性能について説明する。
【００２９】
前記第一送風ファン５および前記第二送風ファン７が、ほぼ同一の寸法および形状で形成されると共に、前記第一エアガイダ13および前記第二エアガイダ14がほぼ同じ大きさによる断面形状で形成されているので、前記第一熱交換器４および前記第二熱交換器６で夫々熱交換された空気を均等に、且つ多量に送出できるようになる。
【００３０】
なお、例えば冷房運転時に、前記第一熱交換器４および前記第二熱交換器６で夫々熱交換された冷気を、略水平方向に向けて効率よく送出させたい場合には、前記第一送風ファン５を前記第二送風ファン７よりも高速で回転させることによって、前部に区画された前記吹出口２から実線の矢印ａで示すように多量の冷気が送出されるのに伴い、これに誘引された少量の冷気が、後部に区画された前記吹出口２から実線の矢印a'で示すように送出されることになる。
【００３１】
または、例えば暖房運転時に、前記第一熱交換器４および前記第二熱交換器６で夫々熱交換された暖気を、下方に向けて効率よく送出させたい場合には、前記第一送風ファン５を前記第二送風ファン７よりも低速で回転させることによって、後部に区画された前記吹出口２から破線の矢印ｂで示すように多量の暖気が送出されるのに伴い、これに誘引された少量の暖気が、前部に区画された前記吹出口２から破線の矢印b'で示すように送出されることになる。
【００３２】
これらによって、前記吹出口２に、冷房運転時および暖房運転時とも上下方向に吹出空気を偏向させる上下風向板やこれを駆動させる駆動装置を設ける必要がなくなって大幅なコストダウンや省エネルギ性を実現できると共に、上下風向板による風切り音などをなくすことができるようになり、低騒音性とを実現できることになる。
【００３３】
【発明の効果】
以上説明したように、本発明によると、部品点数を抑えてコンパクト性を維持すると共に、高性能であって且つ高い省エネルギ性と低騒音性とを実現できるようにした空気調和機となる。
【図面の簡単な説明】
【図１】本発明による空気調和機の第一の実施例を示す断面図である。
【図２】本発明による空気調和機の第二の実施例を示す断面図である。
【図３】本発明による空気調和機の第三の実施例を示す断面図である。
【図４】本発明による空気調和機の第四の実施例を示す断面図である。
【図５】本発明による空気調和機の第五の実施例を示す断面図である。
【図６】本発明による空気調和機の第六の実施例を示す断面図である。
【符号の説明】
１  吸込口
２  吹出口
３  仕切体
４  第一熱交換器
５  第一送風ファン
６  第二熱交換器
７  第二送風ファン
８  第一露受皿
９  第二露受皿
10  第三露受皿
11  第一ファンケーシング
12  第二ファンケーシング
12a スタビライザ
13  第一エアガイダ
14  第二エアガイダ
15  断熱部材
16  中空部
【図１】
0003925187.tif 000002
【図２】
0003925187.tif 000003
【図３】
0003925187.tif 000004
【図４】
0003925187.tif 000005
【図５】
0003925187.tif 000006
【図６】
0003925187.tif 000007